(57)【要約】  【課題】  健常者は勿論のこと、病気療養中で布団に寝起きする人やねたきりとなってしまった老人などが、側臥姿勢となってテレビ等を鑑賞するときに、普段と同じように左右の耳に略平等の音響効果を得ることができるようにした側臥用枕を提供する。  【解決手段】  聴覚孔２１を開口した枕天板２と、下方の接地部３１とが、高さ調節機構５を介して組み合され、聴覚孔２１の直下付近には、水平方向からの侵入音を略鉛直上方に転換させ得る傾斜状反響板７を組み込んでなる側臥用枕である。【選択図】    図２
2005334169.tif 000002
【特許請求の範囲】
【請求項１】
中央辺りに上下に貫通する聴覚孔を開口した枕天板とその下方に配する接地部とが、高さ調節機構を介して上下に組み合わされた上、当該枕天板聴覚孔の直下付近には、水平方向からの侵入音を略鉛直上方に転換させ得るようにした傾斜状反響板を組み込んでなるものとしたことを特徴とする側臥用枕。
【請求項２】
中央辺りに上下に貫通する聴覚孔を開口した枕天板とその下方に配する接地部とが、高さ調節機構を介して上下に組み合された上、当該枕天板聴覚孔の直下付近に、左右方向に開口し、該聴覚孔に連通する上下転倒Ｔ字形となる音響管路を形成し、該音響管路途中の前記聴覚孔直下付近には、該音響管路左右何れか一方の開口からの侵入音を、左右何れか他方の開口に抜け出させずに、略鉛直上方に転換させ得る角度姿勢に調整可能とした傾斜状反響板を組み込んでなるものとしたことを特徴とする側臥用枕。
【請求項３】
平板状の接地部を有する溝型の枕下部フレームと、該枕下部フレームの溝を隠蔽し得る平板状で、中央辺りに上下に貫通する聴覚孔を開口してなる枕天板とが、該枕天板裏面から下方に突出させた一対の脚板を枕下部フレームの溝に実質的に嵌合状となるようにすると共に、枕下部フレームの溝両端開口部分の夫々内側には、それら開口部分を閉鎖してしまうことのない構造とした高さ調節機構を介して上下に組み合された上、当該枕天板聴覚孔の直下付近には、枕下部フレームの溝方向に直交配置で溝巾一杯とした傾斜状反響板がその角度姿勢を変更可能となるよう組み込まれてなるものとし、前記枕天板聴覚孔と枕下部フレームの溝とによって上下転倒Ｔ字形となる音響管路を形成し、該音響管路左右何れか一方の開口からの侵入音を、左右何れか他方の開口に抜け出さないような角度姿勢に調整した傾斜状反響板で略鉛直上方に転換して聴覚孔方向に向かうようにしたことを特徴とする側臥用枕。
【請求項４】
反響板が、その傾斜姿勢角度を、水平軸心回りに左右方向への回動を可能とする反転切換え軸着機構を有し、必要に応じて適所に左右反転切換え用の切換え操作部を配してなるものとした、請求項１ないし３何れか一項記載の側臥用枕。
【請求項５】
枕天板が、その天面であって聴覚孔の周囲付近となる適宜範囲に、人体側頭部および必要な場合には首、肩等を違和感無く保持または接触可能とする凹欠形状の支承形状部を形成し、必要に応じて該支承形状部の人体各部と接する表層部分のみ、もしくは全体をクッション製のものとした、請求項１ないし４何れか一項記載の側臥用枕。
【請求項６】
接地部が、その接地面の一部もしくは全部に、床面からのノイズを遮断可能とする防振部品を装着してなるものとした、請求項１ないし５何れか一項記載の側臥用枕。
【発明の詳細な説明】
【技術分野】
【０００１】
この発明は、音響機器ならびに寝具類に関連するあらゆる分野をその技術分野とするものであって、音響機能を有する枕を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                              
【背景技術】
【０００２】
（着眼点）
自宅など独り寛ぎの空間に居て日頃の疲れやストレスを解消しようとするときや、深夜になっても中々眠りに付けないとき等には、多くの人が畳や絨緞、あるいは寝具の上に寝そべって仰臥または側臥姿勢のまま音楽や映像を鑑賞する姿勢をとって寛いだり、睡眠に導かれる時を待つことになるというのが極一般的健常者の普段の寛ぎライフスタイルとすることができ、一方、病弱な人や身体に障害があって止むなく布団の上で長時間を過さざるを得ないような人、あるいは寝たきりとなってしまって唯一テレビ鑑賞を楽しみにしている高齢者等の場合には、健常者以上に寝たままの姿勢で音楽や映像を鑑賞するという生活が続くことになる。
【０００３】
しかしながら、通常のオーディオ装置やテレビ受像機に付随するスピーカーシステム等から発せられる音声を、このように横になった姿勢で通常の座り姿勢と同様にした音響効果で鑑賞することは殆ど不可能であり、例えば仰臥姿勢で音楽鑑賞をしようとすると、スピーカーに近い側の耳と遠い側の耳との間に違和感が生じてしまうことになり、また、側臥姿勢となってテレビを視聴していると、片側の耳が枕に塞がれてしまって殆ど聞こえない状態となり、上側に露出した耳だけに負担が掛かってしまうなどといった具合となつてしまことから、このような不都合に対処できて、寝転がった姿勢であっても普段と変わらぬ音響効果が得られるようにする便利で人に優しい装置の提供を多くの人々が要望している。
【０００４】
（従来の技術）
こうした需要に応えようとして、例えば特開２００３−８７８９９号公報「音響処理装置」に開示されている、スピーカーが設けられると共に、聴取者の頭部が乗せられたときに、前記スピーカーに対する当該聴取者の頭部の位置を所定の位置に保持するようにするための頭部保持部が設けられた枕部と、前記スピーカーに供給するようにする音声信号の供給を受けて、前記音声信号による音声の音像を所定の位置に定位させるようにする音像定位処理部と、前記音像定位処理部からの音声信号に対して、前記枕部に聴取者の頭部が置かれたときの前記スピーカーと前記聴取者の頭部との位置に応じた補正処理を行う補正処理部とを備えてなるようにした浅田・板橋・中野発明がある。
【０００５】
また、特開２００１−２１１４９４号公報の、任意大きさの略長方形の発泡ポリエチレン等の弾性材の基板の両端付近に貫通孔を形成し、該貫通孔に受信用の薄形スピーカーを嵌入し、該薄形スピーカーをリード線でイヤホーンプラグに接続させ、イヤホーンプラグを任意の長さ基板より引き出し、基板の表裏を発泡ポリエチレン等の弾性材カバーで接着封入したものとして、枕上面に装着することにより、頭の重みで沈み込む枕の形状に沿って基板が湾曲し、左右に配された薄形スピーカーの夫々が左右の耳に接近、対峙状となるものとした「簡易受信器」渡辺発明や、登録実用新案第３０４７６０２号公報「音声発生装置」のように、箱体の開口部を蓋体によって密閉してスピーカーを箱体内に収納し、蓋体に通孔部を穿設すると共に、通孔部に伝音管を挿通して箱体の内部と外部とを伝音管を通じて連通し、箱体の底部にスイーカーの電源コードを外部に引き出すための挿通孔を設けてなり、枕の左右に夫々内蔵して各伝音管を適宜位置まで延伸させるようにしたことにより、音の発生源を枕内に隠蔽して、大きな空間を占有することなく音楽鑑賞を可能としたリエン考案等々が、既に開発されている。                                                                                          
【特許文献１】（１）特開２００３−８７８９９号公報    （２）特開２００１−２１１４９４号公報    （３）登録実用新案第３０４７６０２号公報
【発明の開示】
【発明が解決しようとする課題】
【０００６】
（問題意識）
これら既に開発済みとなっている枕内蔵もしくは装着式とする各種音響装置は、何れも各様のスピーカーシステムを組み込んだ上、電源の投入と音声信号の入力を必要とするものであって、構造が勢い複雑なものにならざるを得ず、しかも使用する際には電源コードやイヤホーンプラグの接続や音量調節等といった準備作業を必要とし、特に布団の上で利用するときなどに、各種配線の断線や短絡による故障等に起因した災害の発生も懸念される外、枕の左右にスピーカーを配置する構造では、仰臥姿勢での聴取に好都合ではあっても、側臥姿勢でテレビやビデオあるいはオーディオを鑑賞しようとすると、枕に接している側の耳が塞がれてしまい、結局上側となった片側の耳でしか聴取できなくなって、従前までの欠点は未だ解消されず、これまでのところ、側臥姿勢で良好な音響効果が得られるようにした枕の開発は、未だなされていないというのが実情であった。
【０００７】
（発明の目的）
そこで、この発明は、側臥姿勢となってテレビ等を鑑賞しようとするときに、普段の腰掛け姿勢などの場合同様に左右の耳に略平等の音響効果が得れるようにした枕を実現することはできないものかとの判断から、逸速くその開発、研究に着手し、長期に渡る試行錯誤と幾多の試作、実験とを繰り返してきた結果、今回、遂に新規な構造の側臥用枕を実現化することに成功したものであり、以下では、図面に示すこの発明を代表する実施例と共に、その構成を詳述することとする。                                                              
【課題を解決するための手段】
【０００８】
（発明の構成）
図面に示すこの発明を代表する実施例からも明確に理解されるように、この発明の側臥用枕は、基本的に次のような構成から成り立っている。
即ち、中央辺りに上下に貫通する聴覚孔を開口した枕天板とその下方に配する接地部とが、高さ調節機構を介して上下に組み合された上、当該枕天板聴覚孔の直下付近には、水平方向からの侵入音を略鉛直上方に転換させ得るようにした傾斜状反響板を組み込んでなるものとした構成を要旨とする側臥用枕である。
【０００９】
これをより具体的に示すと、中央辺りに上下に貫通する聴覚孔を開口した枕天板とその下方に配する接地部とが、高さ調節機構を介して上下に組み合された上、当該枕天板聴覚孔の直下付近に、左右方向に開口し、該聴覚孔に連通する上下転倒Ｔ字形となる音響管路を形成し、該音響管路途中の前記聴覚孔直下付近には、該音響管路左右何れか一方の開口からの侵入音を、左右何れか他方の開口に抜け出させずに、略鉛直上方に転換させ得る角度姿勢に調整可能とした傾斜状反響板を組み込んでなるものとした構成の側臥用枕ということができる。
【００１０】
この発明の側臥用枕を、更に具体的なものとして示すと、平板状の接地部を有する溝型の枕下部フレームと、該枕下部フレームの溝を隠蔽し得る平板状で、中央辺りに上下に貫通する聴覚孔を開口してなる枕天板とが、該枕天板裏面から下方に突出させた一対の脚板を枕下部フレームの溝に実質的に嵌合状となるようにすると共に、枕下部フレームの溝両端開口部分の夫々内側には、それら開口部分を閉鎖してしまうことのない構造とした高さ調節機構を介して上下に組み合された上、当該枕天板聴覚孔の直下付近には、枕下部フレームの溝方向に直交配置で溝巾一杯とした傾斜状反響板がその角度姿勢を変更可能となるよう組み込まれてなるものとし、前記枕天板聴覚孔と枕下部フレームの溝とによって上下転倒Ｔ字形となる音響管路を形成し、該音響管路左右何れか一方の開口からの侵入音を、左右何れか他方の開口に抜け出さないような角度姿勢に調整した傾斜状反響板で略鉛直上方に転換して聴覚孔方向に向かうようにした側臥用枕であるといえる。                                  
【発明の効果】
【００１１】
以上のとおり、この発明の側臥用枕によれば、接地部に対する枕天板の高さ位置を、介在する高さ調節機構によって利用者の体型や好みに応じて自在に変更、調節することにより、利用者への負担を大幅に軽減することができる上、側臥姿勢を取った利用者が、下側配置となった耳を枕天板聴覚孔に対応させることにより、従前までの枕であれば当然閉塞されて殆ど聴取不可能となっていた下側配置の耳にも、水平方向から来た音声を、聴覚孔直下付近に配された傾斜状反響板によって鉛直上方に転換させ、上側配置となっている耳と略同等の音質および音量のまま到達させることができるものとなり、健常者が寛ぎのときのために横になる場合は勿論のこと、体に障害を持つ人や寝たきりとなってしまった高齢者等にも、比較的製造容易なもので安価に入手できる上、その操作性も良いことから夫々の使用者に合わせた安楽な状態を確保しながら違和感や疲労感を全く受けることなくして、側臥姿勢のまま良好な音響効果を享受しながらのテレビやラジオ等の鑑賞を実現することができるようにしたものになるという秀れた特徴が得られる。                                          
【発明を実施するための最良の形態】
【００１２】
上記したとおりの構成からなるこの発明の実施に際し、その最良もしくは望ましい形態について説明を加えることにする。
枕天板は、側臥姿勢となったときの人体側頭部を安定的に保持可能とすると共に、その中央辺りに、人体頭部の下側となった耳を緩やかに装着状とすることが可能であって鉛直下方からの音声を、良好な条件の下に聴取できるものとするという機能を果たし、その中央辺りに上下に貫通する聴覚孔を開口し、接地部との間に高さ調節機構を配して利用者が、所望する高さに調節自在なものとしなければならず、その天面であって聴覚孔の周囲付近となる適宜範囲に、人体側頭部および必要な場合には首、肩等を違和感無く保持または接触可能とする凹欠形状の支承形状部分を形成し、該支承形状部分の人体各部と接する表層部分のみ、もしくは全体をクッション製のものとするのが望ましい。
【００１３】
聴覚孔は、枕天板上に側臥姿勢となった人体側頭部を保持させたとき、頭部の下側となる耳に、枕天板の鉛直下方からの音声を、伝播可能として、頭部上側となる反対側の耳に到達するのと略同様の条件で、周辺音声を聴取可能にするという機能を果たすものであり、枕天板の略中央付近を上下に貫通したものとしなければならず、側臥姿勢人体の頭部下側となった耳を余裕をもって受入れ可能な開口寸法に設定されたものとすべきであるが、メッシュ状あるいはパンチングメタル状の多数の孔を穿孔したものや、不織布やネット状のシート状軟質素材等で隠蔽状とし、音声だけが上下方向に伝播し得るものとすることも可能である。
【００１４】
脚板は、溝型の枕下部フレームと、その上側に対して高さ調節機構を介して上下昇降、調節可能とするよう設けられた枕天板との間に、該高さ調節機構による高さ変更操作に拘らず、左右開口を繋ぐ密閉状の音響管路を形成可能とする機能を果たすものであり、枕天板の前後縁付近と、枕下部フレーム前後縁付近との間に、高さ調節機構による昇降操作に従って伸縮可能な蛇腹状の壁面部品を、張設したものとすることができる外、枕下部フレームの溝に対し、実質的に嵌合状となって枕天板の不用意な横転を阻止し、安定的に支持可能とするよう、比較的硬質な素材からなり、枕天板の前後縁付近の夫々に強固に一体化された鉛直平板とすることができる。
【００１５】
枕下部フレームは、枕天板を利用者の所望する高さ位置に安定的に支持可能とすると共に、溝形状の上側に枕天板を組み合わせることにより、左右開口と枕天板の聴覚孔とを連通状とする音響管路を形成可能とする機能を果たすものであり、下側適所に接地部を形成し、その上部に左右側および上側に開口し音響管路を形成可能とする溝を形成したものとしなければならず、何れか適所に溝を閉鎖しない構造の高さ調節機構の一部または全部を設けたものとすべきであり、必要に応じて枕天板聴覚孔直下付近となる位置に、傾斜状反響板を配設したものとすることができる。
【００１６】
接地部は、枕天板を、所定高さ位置に所望する姿勢で安定的に支持する際に床面等に設置する部分であり、高さ調節機構を介して枕天板を支持可能とするものとしなければならず、枕天板を安定的に支持可能な、均衡する複数箇所に脚状に設けられたものとすることができる外、枕天板の下側面に略相当するか、それよりも広い面積に設定されるかした略平板状に形成したものとすることが可能であり、必要に応じて接地面の一部もしくは全部に、床面からのノイズを遮断可能とするフェルトや防振ゴム製等の防振部品を装着したものとすることができる。
【００１７】
音響管路は、枕下部フレームとその上側に組み合わされた枕天板との間に形成されて、水平方向から侵入して来る音声を、そのトンネル形状内に円滑に伝播可能とする機能を果たすものであって、左右開口と枕天板聴覚孔とを上下転倒Ｔ字型となるよう連通したものとしなければならず、しかも枕天板聴覚孔の直下付近となる箇所に、傾斜状反響板を配したものとすべきであり、枕下部フレームおよび枕天板とによって包囲される周囲壁面を略密閉状に形成したものとするのが望ましい。
【００１８】
高さ調節機構は、接地部に対する枕天板の組合せ高さ位置を昇降変更、調節可能とし、利用者が所望する適宜高さ位置に仮固定可能とする機能を果たし、枕天板の水平状姿勢の均衡を保ったまま昇降操作、自在な構造としなければならず、枕天板の左右端側下面夫々に鉛直状の送りネジ機構を設けてなるものや、枕下部フレームと枕天板との双方の重なり合う前後壁面同士を、複数のボルトで貫通し、所望する高さ位置に仮止め可能としたもの等、音響管路や聴覚孔を通過する音声を遮断しない適宜構造のものを自由に採用することができる。
【００１９】
傾斜状反響板は、水平方向から伝播してくる音声を、枕天板聴覚孔の直下にあって鉛直上方に向けて転換させ、聴覚孔に配された人体の耳に効率的に到達可能とする機能を果たすものであり、音響を吸収すること無く効率的に反射可能な比較的硬質な素材から形成しなければならず、水平方向に対して約４５度の角度に設定、可能なものとすべきであり、共振や不要な振動を発生し難い木製や合成樹脂素材製のものとするのが望ましく、傾斜姿勢角度を、水平軸心回りに左右方向への回動を可能とする反転切換え軸着機構を有し、必要に応じて適所に左右反転切換え用の切換え操作部を配してなるものとすることができる外、枕天板聴覚孔の直下付近に配設された垂直軸回り回転機構に対して傾斜姿勢状に一体化され、該垂直軸心回りに回転、操作することで、傾斜面の向きを３６０度調節可能としたものとすることができる。
以下では、図面に示すこの発明を代表する実施例と共に、その構造について詳述することとする。                                                                                              
【実施例１】
【００２０】
図１の分解状態にある側臥用枕の斜視図に示される事例は、中央辺りに上下に貫通する聴覚孔２１を開口した枕天板２と、その下方に配する接地部３１とが、高さ調節機構５を介して上下に組み合された上、当該枕天板２聴覚孔２１の直下付近には、水平方向からの侵入音を略鉛直上方に転換させ得るようにした傾斜状反響板７を組み込んでなるものとしたこの発明に包含される側臥用枕における代表的な一実施例を示すものである。
【００２１】
当該側臥用枕１は、長方形平板面状の接地部３１と、その前後縁から所定高さの長方形状の側壁面３２，３２が立ち上げられ、左右端および上面が開口された溝３３を形成した枕下部フレーム３を有し、該枕下部フレーム３溝３３内の左右端側には、高さ調節機構５の下部構造を形成する螺着金具５１，５１が夫々設けられており、左右中央の前後側壁面３２，３２間には、所定高さ位置に反転切換え軸着機構７１によって、溝３３の断面形状を閉鎖可能な程度の矩形状面積を有する木製平板からなる傾斜状反響板７が軸着され、一方の側壁面３２を貫通した軸端に長円板型の切換え操作部７２を設け、該傾斜状反響板７を、外部から水平軸芯回りに、左右開口３４，３４の夫々に対し約４５度の角度姿勢とするよう反転操作可能なものとしている。
【００２２】
枕下部フレーム３の上側には、該枕下部フレーム３の天面を閉鎖可能な長方形状平面形に形成し、傾斜状反響板７の直上位置付近に、人体の耳を余裕をもって装着状に配置可能とする略楕円形の聴覚孔２１を上下貫通状に形成してなる枕天面２が装着されており、その左右端下面には、鉛直状下向きに延伸され、上側中途適所に回転操作用の操作ダイヤル５３，５３を設けた昇降ネジ５２，５２が回転自在に植設され、各昇降ネジ５２，５２の先端側を、前記枕下部フレーム３螺着金具５１，５１の夫々に対し昇降調節自在に螺着可能として、高さ調節機構５の上部構造を形成したものとなっており、該枕天板２の下面前後縁の夫々には、長方形鉛直平板状であって、傾斜状反響板７反転切換え軸着機構７１に対応する中央付近が上下転倒Ｕ字型に凹欠された脚板２２，２２が垂設され、各脚板２２，２２の下端側が、対応する枕下部フレーム３側壁面３２，３２の上端面に長尺スリット状に開口され、所定深さの長方形鉛直平板形に穿設された嵌合用スロット３５，３５の夫々に嵌合状、且つ上下摺動自在に組合せ、装着可能としたものとなっている。
【００２３】
枕天板２は、その上面側であって聴覚孔２１の左右側夫々に、人体の側頭部形状に対応した凹欠形状に成形したクッション素材製の弾性サポート部２３，２３を貼着し、さらに聴覚孔２１の前後側に相当する角部を削り人体の首回りに干渉しないよう配慮した外郭形状とされている。
高さ調節機構５は、上述の構造の外に、図３の空気圧利用の高さ調節機構の側面図に示すように、枕下部フレーム３接地部３１と枕天板２との左右端側中央付近上下間に鉛直状に設けられた蛇腹型の伸縮柱部５４，５４の夫々に、圧力調節バルブ付きの手動ポンプ５５に接続され、途中から左右二股に分岐された比較的軟質な耐圧ホースの対応端を夫々接続してなるものとすることができる。
【００２４】
また、高さ調節機構５は、図４の圧縮バネ利用の高さ調節機構の側面図に示すように、枕下部フレーム３接地部３１左右の中央上面に鉛直状に立設された円筒ガイド５６，５６内に、圧縮バネ５７，５７を略同心状に装着し、対応する枕天板２の下面左右端側には、外周面に上下複数段の係合用段状凸部を形成した係合支柱５８，５８を鉛直下方に向けて垂設し、対応する円筒ガイド５６，５６に夫々、上下昇降自在に装着した各係合支柱５８，５８の外周面の適宜選択された係合用段状凸部には、円筒ガイド５６，５６上端に揺動操作自在に装着され、図示しないバネを内蔵して係合方向に向けて付勢された係合レバー５９，５９の先端が係合、離脱可能に嵌合されたものとすることが可能である。                              
【実施例２】
【００２５】
図５のボルト利用の高さ調節機構を有する側臥用枕の斜視図に示す側臥用枕１は、平面矩形状に形成された接地部３１の下面略全体に、防振ゴム製の防振シート３５を貼着し、上側面前後縁に側壁面３２，３２を一体形成して溝型とした枕下部フレーム３と、前後側壁面３２，３２の各内側面に重なるように装着可能とした前後脚板２２，２２の略中央部分間に、反転切換え軸着機構７１を有する傾斜状反響板７が聴覚孔２１の直下に配置されるよう設けた枕天板２とから成り立っている。
【００２６】
そして、当該枕下部フレーム３前後側壁面３２，３２双方に高低差をつけて配置した左右二対、前後片面四個、前後面合計八個の座ぐりを有した貫通孔６０，６０，……と、枕天板２前後脚板２２，２２の双方に、同枕天板２の枕下部フレーム３に対する高さを調節するときに、前記貫通孔６０，６０，……の何れかに重なり合い、同心状の配置とすることが可能となるよう互いに上下所定間隔置毎であって、しかも左右各二列状の配置となるよう穿設したネジ孔６１，６１，……とからなり、枕天板２の高さを調節する過程で、適宜選択された左右何れか一対の貫通孔６０，６０と、これに同心状の配置となった何れかのネジ孔６１，６１とに対して、頭部外周面に操作時滑り止め用の溝を刻設したボルト６２，６２を、夫々脱着可能に螺合、装着するようにしてなるものである。                                                                                            
【実施例３】
【００２７】
図６の高さ調節機構を形成する脚部によって支持された側臥用枕の斜視図に示すように、側臥用枕１は、矩形平板状の接地部３１の上面左右縁付近の左右端間に渡り、鉛直帯型であって中央から左側端に掛けた上縁に複数個の係合爪６４，６４，……を刻設した支持レール部６３，６３を敷設したものとする一方、中央に聴覚孔２１を穿孔した枕天板２前後縁の各左右角付近には、略同一の長さに設定され、片方に摺動用スリットを形成した中央付近同士が、傾斜状反響板７の反転切換え軸着機構７１によって略Ｘ字型を形成するよう摺動自在に連結された、リンク脚６５，６５，……の各対応する上端が軸着され、各リンク脚６５，６５，……下端の中、右側の配置となるものは、対応する支持レール部６３，６３の各右側端に軸着され、これとは反対側となるリンク脚６５，６５の下端同士は、両端に係合ピン頭部６７，６７を有する水平状の連結棒６６によって連結されたものとして、前後の係合ピン頭部６７，６７の係合爪６４，６４，……への係合位置を左右に変更することにより、前後夫々に同形状のＸ字型に組合せられたリンク脚６５，６５，……の開脚角度を変更し、接地部３１に対する枕天板２の高さを調節、可能として、傾斜状反響板７を常に聴覚孔２１の略直下付近に支持可能としたものとなっている。
【００２８】
（実施例の作用）
以上のとおりの構成からなるこの発明の側臥用枕１は、図１中に示したように溝型の枕下部フレーム３に対し、脚板２２，２２を有する枕天板２を、高さ調節機構５を介して連結したものとすると、左右の操作ダイヤル５３，５３を回転操作して螺着金具５１，５１に対する昇降ネジ５２，５２の螺合状態を、調節することにより、利用者にとって最適となる高さ位置に枕天板２の高さを調節することが可能となり、また、音源の位置に応じて同図１中の実線矢印で示すように切換え操作部７２を操作し、傾斜状反響板７を、反転切換え軸着機構７１の軸芯回りに回動させ、例えば図２の利用される側臥用枕の断面図に示すように、二点鎖線で示される角度姿勢から、実線で示す角度姿勢に変更することが可能である。
【００２９】
このようにして各部を調節した後に、側臥姿勢となった利用者が、その側頭部Ｈを、クッション素材製の弾性サポート部２３，２３の凹欠形状に沿って接するようにして耳を、聴覚孔２１に対応させると、側臥姿勢の利用者が顔を向けている方向に配置された図示しないテレビやラジオ等から流れる音声が、図２中の波形実線（波形矢印を含む）で示すように伝わり、上側となった耳には直接聞こえ、また、下側となって聴覚孔２１に臨ませた耳には、開口３４を通じて音響管路４に侵入した音声が、水平に対して略４５度の角度姿勢に設定された傾斜状反響板７によって、鉛直上方向に転換され、直上に位置する聴覚孔２１に向けて伝播され、上側配置となった耳と略同等の音響効果を得ることが可能となる。
【００３０】
図３に示した高さ調節機構５とすると、手動ポンプ５５を複数回に渡り圧縮操作して左右の伸縮柱部５４，５４に圧縮空気を注入し、必要に応じて手動ポンプ５５の端部に設けられた圧力調節バルブを開閉操作して所望量の空気を抜き出し操作して枕天板２の高さを、利用者の好みに応じて無段階的に調節することが可能であり、また、図４に示した高さ調節機構５は、左右の係合レバー５９，５９を、同図中に実線矢印で示すように操作し、係合レバー５９，５９先端を、係合支柱５８，５８の係合用段状凸部から離脱させると、圧縮バネ５７，５７によって係合支柱５８，５８が押し上げられ、好みの高さ位置で係合レバー５９，５９を放すと、図示しないバネの付勢により、各係合レバー５９，５９の先端が、各係合支柱５８，５８の係合用段状凸部に嵌合状となって、任意の高さに枕天板２を仮固定状に支持可能となる。
【００３１】
図５中に示した高さ調節機構５とすると、枕天板２の高さを調節するときには、該枕天板２の前後脚板２２，２２を、枕下部フレーム３の前後側壁面３２，３２の内側に装着し、略好みの高さ位置で一致した左右一対、前後合計四箇所の貫通孔６０，６０，……と、夫々に対応するネジ孔６１，６１，……とにボルト６２，６２，……を螺合、装着して仮固定状とすることが可能となり、枕下部フレーム３と枕天板２との間に形成された音響管路４内に、音響の障害物が無い構造とすることが可能となる。
【００３２】
図６中に示した側臥用枕１は、下端に係合ピン頭部６７，６７が設けられた前後リンク脚６５，６５を連結する連結棒６６を、上方に持ち上げて、係合爪６４，６４から離脱させると、Ｘ字型に組み合わされたリンク脚６５，６５，……の開脚角度を自在に変更して枕天板２の高さを調節することが可能となり、枕天板２を好みの高さに配置させたときに、対応する係合爪６４，６４に係合ピン頭部６７，６７を係合させて、仮固定状に支持させると、枕天板２が所望の高さに支持されたものとなり、しかもリンク脚６５，６５，……の中間付近を連結状とする反転切換え軸着機構７１には、傾斜状反響板７が軸着されており、該反転切換え軸着機構７１の軸芯回りに傾斜状反響板７を回動操作して、該傾斜状反響板７の上端側を、聞きたい音源の位置とは反対側となる方向に向けて倒し込み、該音源から水平状に進んで来る音声を、直上に開口された聴覚孔２１に向けて鉛直状に転換可能とするものとなる。
【００３３】
（実施例の効果）
以上のような構成からなる実施例の側臥用枕１は、前記この発明の効果の項で記載の特徴に加え、図１および図２中に示したように、枕天板２の前後脚板２２，２２と、溝型の枕下部フレーム３とを組み合わせたことにより、枕天板２聴覚孔２１と左右開口３４，３４とを、上下転倒Ｔ字形となる音響管路４を形成する如く連通させたことにより、周辺の雑音を排除して希望する音源からの音声のみを、聴覚孔２１に到達させることが可能となり、さらに良好な聴取が可能となり、また、枕天板２上面の聴覚孔２１周辺に、クッション製の弾性サポート部２３，２３を貼着したことによって、側臥姿勢で側頭部Ｈを乗せる際にも、人体が硬質部分に接触するのを防止して長時間に渡る使用を快適なものとすることができる。
【００３４】
図３中に示した側臥用枕１によると、左右の伸縮柱部５４，５４に接続された一個の手動ポンプ５５を操作することにより、左右の伸縮柱部５４，５４に供給される圧縮空気の圧力を自動的に均質化できるので、枕天板２の水平姿勢を維持したままで無段階的に昇降、調節することができるという利点を得られることになる。
【００３５】
図４中の高さ調節機構５を採用することにより、左右の係合レバー５９，５９を係合支柱５８，５８から離脱させると、圧縮バネ５７，５７が係合支柱５８，５８を自動的に迫り上げるものとなるので、枕天板２上に乗せた頭部で枕天板２の上昇を調節しながら、左右の係合レバー５９，５９の離脱、係合操作を行うことができるものとなり、高さ調整の際に枕天板２の持ち上げ操作が不要となり、高さ調節の作業性を一段と高めることができる。
【００３６】
図５に示した高さ調節機構５によると、前後脚板２２，２２と、それらの外側に重なり配置となる側壁面３２，３２とを、複数本のボルト６２，６２，……で仮固定するものとしたので、枕下部フレーム３と枕天板２との間に形成された音響管路４中に、音声の通過に障害となる不要な突起物等を一切排除することが可能となり、より効率的な音声の伝播、聴取を可能にすることができ、しかも接地部３１の下面全体に防振ゴム製の防振シート３５を装着したことにより、床面から伝播してくる音声や振動によるノイズを、大幅に削減することができ、違和感の無い高品位な音響効果が得られるようになると共に、頭部への不快な振動の伝播を、より確実に防止できるものとなる。
【００３７】
また、図６に示した高さ調節機構５とすることにより、水平方向から伝播する音声の障害物を排除することが可能である上、リンク脚６５，６５，……による組合せ構造によって接地部３１と枕天板２とを連結したものとすることにより、比較的簡素で軽量な側臥用枕１とすることができる。
【００３８】
（結  び）
叙述の如く、この発明の側臥用枕は、その新規な構成によって所期の目的を遍く達成可能とするものであり、しかも構造が比較的簡素で、スピーカーやアンプ等といった電気部品類を一切必要としないために製造も容易であり、従前からの音声発生装置を備えた枕等に比較して格段に廉価にて市場に提供することが可能になる上、使用の際しても、複雑な配線の接続作業や電源入力等が不要なので、大人から子供まで誰にでも簡便に利用することができ、新型家電製品の操作に困惑するような高齢者等にも問題なく使用することができ、休日にごろ寝しながら音楽やテレビを楽しみたいと考える健常者は勿論のこと、病弱な人や身体に障害を抱えて長時間を布団の中で過ごさなければならない人、あるいは寝たきりとなってしまった高齢者に至るまでの多くの人々によって高く評価されることとなり、広範に渡って利用、普及していくものになると予想される。                                                
【図面の簡単な説明】
【００３９】
図面は、この発明の側臥用枕の技術的思想を具現化した代表的な幾つかの実施例を示すものである。
【図１】側臥用枕を分解して示す斜視図である。
【図２】側臥用枕の利用状態を断面化して示す正面図である。
【図３】高さ調節機構の変形例を示す側面図である。
【図４】さらに別の高さ調節機構を示す側面図である。
【図５】ボルト止めによる高さ調節機構を示す斜視図である。
【図６】リンク脚利用の高さ調節機構を示す斜視図である。
【符号の説明】
【００４０】
１      側臥用枕
２      枕天板
２１    同  聴覚孔
２２    同  脚板
２３    同  弾性サポート部
３      枕下部フレーム
３１    同  接地部
３２    同  側壁面
３３    同  溝
３４    同  開口
３５    同  防振シート（防振部品）
４      音響管路
５      高さ調節機構
５１    同  螺着金具
５２    同  昇降ネジ
５３    同  操作ダイヤル
５４    同  伸縮柱部
５５    同  手動ポンプ
５６    同  円筒ガイド
５７    同  圧縮バネ
５８    同  係合支柱
５９    同  係合レバー
６０    同  貫通孔
６１    同  ネジ孔
６２    同  ボルト
６３    同  支持レール部
６４    同  係合爪
６５    同  リンク脚
６６    同  連結棒
６７    同  係合ピン頭部
７      傾斜状反響板
７１    同  反転切換え軸着機構
７２    同  切換え操作部
Ｈ      利用者（側頭部）                                                                                
【図１】
2005334169.tif 000003
【図２】
2005334169.tif 000004
【図３】
2005334169.tif 000005
【図４】
2005334169.tif 000006
【図５】
2005334169.tif 000007
【図６】
2005334169.tif 000008